(57)【要約】【課題】周波数がズレた無線機の送信電波を受信することができることと、隣接チャネルの妨害波の影響を受けにくくする相反した受信を両立することを目的とする。【解決手段】第１アンテナ２は、第１無線受信手段４と接続され、第２アンテナ３は、第２無線受信手段５と接続され、第１無線受信手段４と第２無線受信手段５とでは、無線電波を受信する条件パラメータを変えており、第１無線受信手段４と第２無線受信手段５とで復調された信号を比較して正常に復調できた方の無線手段を選択する。【選択図】図１
2013106335.tif 000002
【特許請求の範囲】
【請求項１】
無線信号を受信する条件パラメータを設定されて通信規格に合致した電波を受信して復調する第１無線受信手段と、前記第１無線受信手段とは異なった無線信号を受信する条件パラメータを設定され通信規格に合致した電波を受信して復調する第２無線受信手段と、前記第１無線受信手段と前記第２無線受信手段で復調された信号を比較して、正常に復調できた方の無線手段を選択する無線受信選択手段とを備える無線装置。
【請求項２】
前記無線受信選択手段は、前記第１無線受信手段と前記第２無線受信手段で復調された信号を比較して、早く復調できた方を選択する請求項１記載の無線装置。
【請求項３】
前記第１無線受信手段は周波数フィルターの帯域を狭く調整し、前記第２無線受信手段は、周波数フィルターの帯域を広く調整した請求項１または２記載の無線装置。
【請求項４】
前記第１無線受信手段は自動周波数制御のフィードバックを大きく調整し、前記第２無線受信手段は、自動周波数制御のフィードバックを小さく調整した請求項１から３のいずれか１項または２記載の無線装置。
【発明の詳細な説明】
【技術分野】
【０００１】
本発明はガス、電気、水道等の使用量を無線通信により自動的に検針可能な無線検針装置に関するものである。
【背景技術】
【０００２】
従来、この種の無線検針装置は、ガス使用量を検針するメータと、そのメータに接続された無線装置と、無線装置と通信可能な基地局と、基地局で受信した検針データを収集するセンタ局とから構成されていた。
【０００３】
メータで検針された検針データは無線装置を介して基地局へ送信される。そして、検針データを受信した基地局はセンタ局へデータを送信することによって、センタ局では検針データ収集が可能となる（例えば、特許文献１、２、３参照）。
【０００４】
そして、この無線検針装置の受信装置にはダイバーシチ制御を行う制御部とダイバーシチ受信装置を備えていた。（例えば、特許文献４参照）。
【先行技術文献】
【特許文献】
【０００５】
【特許文献１】特開２００２−１７１３５６号公報
【特許文献２】特開２００１−３１９２８５号公報
【特許文献３】特開平１０−１４５８７２号公報
【特許文献４】特開平０８−２９８４８３号公報
【発明の概要】
【発明が解決しようとする課題】
【０００６】
ところで、上記従来の技術として挙げた無線検針装置では、複数のアンテナで受信した同一の無線信号について、電波状況の優れたアンテナの信号を優先的に用いたりすることによって、通信の質や信頼性の向上を図るようになっていた。
【０００７】
そのため、周波数がズレた無線機の送信電波を受信することができることと、隣接チャネルの妨害波の影響を受けにくくする相反した受信を両立させることができなかった。
【０００８】
本発明は上記課題を解決するもので、相反する無線受信条件を複数の無線モジュールに設定することが可能となり、複数の無線モジュールで受信した同一の無線信号について、正常受信できた無線モジュールの信号を優先的に用いることで、たとえば、経年変化や個体差等により周波数がずれた無線機の送信電波を受信することができることと、隣接チャネルの妨害波の影響を受けにくくする相反した受信を両立させることができる。
【０００９】
これにより、通信品質の向上ができ、再送が少なくなるので通信時間短縮や消費電力軽減が可能となったり、ノイズ発生源に近い電波環境が悪い場所に設置が可能となる無線検針装置を提供するものである。
【課題を解決するための手段】
【００１０】
従来の課題を解決するために、本発明の無線検針装置は、無線信号を受信する条件パラメータを設定されて通信規格に合致した電波を受信して復調する第１無線受信手段と、第１無線受信手段とは異なった無線信号を受信する条件パラメータを設定され通信規格に合致した電波を受信して復調する第２無線受信手段と、第１無線受信手段と第２無線受信手
段で復調された信号を比較して、正常に復調できた方の無線手段を選択する無線受信選択手段と備えるものである。
【発明の効果】
【００１１】
これによれば、相反する無線受信条件を複数の無線モジュールに設定することが可能となり、複数の無線モジュールで受信した同一の無線信号について、正常受信できた無線モジュールの信号を優先的に用いることで、たとえば、経年変化や個体差等により周波数がずれた無線機の送信電波を受信することができることと、隣接チャネルの妨害波の影響を受けにくくする相反した受信を両立させることができる。
【００１２】
これにより、通信品質の向上ができ、再送が少なくなるので通信時間短縮や消費電力軽減が可能となったり、ノイズ発生源に近い電波環境が悪い場所に設置が可能になる。
【図面の簡単な説明】
【００１３】
【図１】本実施の形態の無線装置のブロック図
【図２】本実施の形態の無線検針装置を示す図
【図３】本実施の形態の無線送信電文（検針応答）の電文フォーマットを示す図
【発明を実施するための形態】
【００１４】
第１の発明は、無線信号を受信する条件パラメータを設定されて通信規格に合致した電波を受信して復調する第１無線受信手段と、第１無線受信手段とは異なった無線信号を受信する条件パラメータを設定され通信規格に合致した電波を受信して復調する第２無線受信手段と、第１無線受信手段と第２無線受信手段で復調された信号を比較して、正常に復調できた方の無線手段を選択する無線受信選択手段とを備えたものである。
【００１５】
これによれば、相反する無線受信条件を複数の無線モジュールに設定することが可能となり、複数の無線モジュールで受信した同一の無線信号について、正常受信できた無線モジュールの信号を優先的に用いることが可能になる。
【００１６】
第２の発明は、第１無線受信手段と第２無線受信手段で復調された信号を比較して、早く復調できた方を選択する無線選択手段を備えたものである。
【００１７】
これによれば、無線信号が連送形式となっていた場合、早く復調できた方を選択することで、第１無線受信手段と第２無線受信手段の両方とも無線受信を停止させることができ、余分な受信状態を継続しなくて良くなり、通信時間短縮や消費電力軽減が可能となる。
【００１８】
第３の発明は、周波数フィルターの帯域を狭く調整した第１無線受信手段と、周波数フィルターの帯域を広く調整した第２無線受信手段とを備えたものである。
【００１９】
これによれば、経年変化や個体差等により周波数がずれた無線機の送信電波を受信することができることと、隣接チャネルの妨害波の影響を受けにくくする相反した受信を両立させることができる。
【００２０】
第４の発明は、自動周波数制御のフィードバックを大きく調整した第１無線受信手段と、自動周波数制御のフィードバックを小さく調整した第２無線受信手段とを備えたものである。
【００２１】
これによれば、経年変化や個体差等により周波数がずれた無線機の送信電波を受信することができることと、隣接チャネルの妨害波の影響を受けにくくする相反した受信を両立させることができる。
【００２２】
以下、本発明の実施の形態について、図面を参照しながら説明する。なお、この実施の形態によって本発明が限定されるものではない。
【００２３】
（実施の形態１）
図１は、本発明の実施の形態における無線装置のブロック図を示すものである。実施の形態の無線装置１には、電波を受信したり、送信したりする第１アンテナ２及び第２アンテナ３と、アンテナで受信した電波を受信データに復調する第１無線受信手段４及び第２無線受信手段５を備えている。また、さらに送信データを変調してアンテナから送信させる第１無線送信手段６及び第２無線送信手段７と、第１無線受信手段４及び第２無線受信手段５から転送されてくる復調データの選択を行う無線受信選択手段８と、無線送信データの入力先として第１無線送信手段６や第２無線送信手段７を選択する無線送信選択手段９を備えている。また、さらに無線受信データの解析や無線送信データの作成を行う制御手段１０と、無線装置に接続される外部機器と通信するためのインターフェースである外部インターフェース１１を備えている。
【００２４】
そして、第１アンテナ２は、第１無線受信手段４と接続され、第２アンテナ３は、第２無線受信手段５と接続され、第１無線受信手段４と第２無線受信手段５とでは、無線電波を受信する条件パラメータを変えている。
【００２５】
ここでは、周波数フィルターに関しては、第１無線受信手段４には、周波数フィルターの帯域を狭く調整し、第２無線受信手段５には周波数フィルターの帯域を広く調整するように設定する。
【００２６】
そして、自動周波数制御のフィードバックに関しては、第１無線受信手段４には、自動周波数制御のフィードバックを大きく調整し、第２無線受信手段５には自動周波数制御のフィードバックを小さく調整するように設定する。
【００２７】
このように設定した第１無線受信手段４と第２無線受信手段５を備えた無線装置１は、無線受信する際は、制御手段１０が、第１無線受信手段４及び第２無線受信手段５とを同時に起動させる。起動した第１無線受信手段４及び第２無線受信手段５は、第１アンテナ２及び第２アンテナ３で受信した無線信号を復調できた時点で、無線受信選択手段８へ復調データを転送する。無線受信選択手段８では、第１無線受信手段４及び第２無線受信手段５から転送されてくる復調データを比較して、正常に復調できた方の無線手段を優先して選択する。
【００２８】
また無線受信した後に折り返し無線送信する際は、無線受信選択手段８で選択した側の無線受信手段に接続されているアンテナから無線送信するように無線送信選択手段９が無線送信手段を選択して、無線送信する。
【００２９】
以上のように構成された無線装置を使用した無線システムにおいて、以下その通信動作を説明する。
【００３０】
ここで図２は、本発明の実施の形態における無線装置を使用した無線検針装置のシステム図を示すものである。
【００３１】
実施の形態の無線検針無線システムには、図１で説明した無線装置の外部インターフェース１１にガスメータ２００に内蔵されたガスメータコントローラ２０１との通信インターフェースを備えた無線装置Ａ３００と、無線装置の外部インターフェース１１にモデム装置７００との通信インターフェースを備えた無線装置Ｂ６００とが使用されている。
【００３２】
家屋に設置されているガスメータコントローラ２０１による検針および警報データを、ガスメータコントローラ２０１に接続された無線装置Ａ３００が、無線装置Ｂ６００とモデム装置７００経由でデータ収集センタ５００に送信するようになっている。ここで、無線装置Ａ３００は無線装置Ｂ６００と通信が可能な状態になっている。
【００３３】
そして、ガスメータコントローラ２０１で異常が発生した場合は、無線装置Ａ３００は、ガスメータコントローラ２０１から送られたメータデータを受信して、無線装置Ｂ６００へ無線転送する。
【００３４】
無線装置Ｂ６００は、受信したメータデータをモデム装置７００に送ると、モデム装置７００は、公衆回線網４００と回線接続を行った後、メータデータを変調して、データ収集センタ５００へ送信するようになっている。
【００３５】
メータデータを受信したデータ収集センタ５００では、受信したデータに応じて受信確認信号を送信することになる。この確認信号は、メータデータが来た経路を折り返して、ガスメータコントローラ２０１に届くようになっている。
【００３６】
このような無線システムにおいては、ガスメータ２００の交換サイクルの１０年に合わせて無線装置Ａ３００や無線装置Ｂ６００も交換するため、一旦設置されると周囲建築物の増設等により電波環境が変わろうと、あるいは同じシステムの無線装置や他システムの無線装置が近接して設置されても、あるいは近隣に設置された機器から出る妨害波があっても、１０年間はメンテナンスフリーで動作し続ける必要があった。
【００３７】
これに対して、本実施例では、相反する無線受信条件を複数の無線モジュールに設定することが可能となり、複数の無線モジュールで受信した同一の無線信号について、正常受信できた無線モジュールの信号を優先的に用いることで、たとえば、経年変化や個体差等により周波数がずれた無線機の送信電波を受信することができることと、隣接チャネルの妨害波の影響を受けにくくする相反した受信を両立させることができる。
【００３８】
これにより、通信品質の向上ができ、再送が少なくなるので通信時間短縮や消費電力軽減が可能となったり、あるいはノイズ発生源に近い場所とか、電波環境が悪い場所へ、無線装置を設置することが可能になる。
【００３９】
図３は、本発明の実施の形態における無線装置を使用した無線送信電文（検針要求）の電文フォーマットを示すものである。
【００４０】
図３の電文は、検針要求の電文で、先頭に位置するプリアンブルは、特定小電力無線局で送信が義務付けられている信号であり、１００ビットのビット同期信号と、３１ビットのフレーム同期信号と、４８ビットの呼出名称を含む６３ビットの呼出信号からなっている。
【００４１】
プリアンブルの次に位置する子機選択短縮コードは、無線装置Ａ３００を選択する短縮コードから成るシステム起動信号で、無線信号キャリアセンス時に通信相手側無線部の電波であるかどうかを識別するためのものであり、受信側機器の無線信号キャリアセンス間隔より長い時間連続して送信される。
【００４２】
その構成は、ビット同期信号と、システム識別符号（例えばＰＮ３段符号）と、４８ビットの呼出名称を短縮し誤り訂正符号を付加した短縮型呼出信号（例えば短縮した呼出名称１６ビット＋訂正符号１６ビット＝３２ビット）からなるバケットを複数回連続したも
のから構成される。
【００４３】
子機選択短縮コードの次に位置する検針要求コマンドには、無線装置Ａ３００を指定する無線装置Ａ３００のフルのＩＤ情報を設定し、ガスメータコントローラ２０１に対する要求を指示したりするための送信データがついている。
【００４４】
ここでは、送信データにはガスメータコントローラ２０１の検針値を取得するための検針要求コマンドがセットされている。
【００４５】
このように無線装置Ｂ６００から送信される検針要求電文の前半には、システム起動信号として、子機選択短縮コードがセットされているので、無線装置Ａ３００は間欠周期毎に一定時間無線受信電源をＯＮにして、システム起動信号をまず受信し、自機宛を選択していると判断した場合は、引き続き後続するデータを受信するようになっている。
【００４６】
そして、後続するデータつまり検針要求コマンドには、電文のスタートを表すＳＴＸと電文のエンドを表すＥＴＸ及び電文の誤り検出に使用する目的でＳＴＸの次のデータからＥＴＸまでの排他的論理和を計算したＢＣＣの間に、無線装置Ａ３００のＩＤコードと送信データである検針要求コマンドがセットされている。
【００４７】
さらに検針要求コマンドが受信できなかった場合の対策として、この検針要求コマンドを３回繰り返して送信するようにしている。
【００４８】
この検針要求コマンドの前には、この検針要求コマンドを繰り返し送信する回数として連送回数が、また現在送信している検針要求コマンドが連送の何番目かを知らせる連送番号がヘッダ情報として付与されている。
【００４９】
このフォーマットを使用し、同じ送信データを３回連送することにより、受信成功率を高めるようにしている。
【００５０】
このように同じデータを連送する電文フォーマットで通信を行う場合、無線装置１の第１無線受信手段と第２無線受信手段で復調された信号を比較する際に、無線受信選択手段８で早く復調できた方の無線受信手段を選択する。
【００５１】
このように、早く復調できた方の無線受信手段を選択することで、残りの送信データの連送が終わるのを待たずに、第１無線受信手段と第２無線受信手段の両方とも無線受信を停止させることができ、余分な受信状態を継続しなくて良くなり、通信時間短縮や消費電力軽減できる。
【００５２】
なお、無線信号を受信する手段として、無線装置には、第１無線受信手段４と第２無線受信手段５の２つを備えたとしたが、３つ以上の無線手段を備えて無線受信選択手段８により、最適な受信手段を選択するようにしてもよい。
【００５３】
また、無線受信手段と無線送信手段を別々の構成としたが、無線受信と無線送信は、実装部品を共用化するため、送受信一体型無線送受信手段を複数備えた構成としてもよい。
【産業上の利用可能性】
【００５４】
以上のように、本発明にかかる無線検針装置は、ガスメータに限らず電気、水道その他の流量を計測する計測メータ装置及び、火災警報機やホームセキュリティの遠隔監視システムにも適用できるものである。
【符号の説明】
【００５５】
２  第１アンテナ
３  第２アンテナ
４  第１無線受信手段
５  第２無線受信手段
６  第１無線送信手段
７  第２無線送信手段
８  無線受信選択手段
９  無線送信選択手段
１０  制御手段
１１  外部インターフェース
【図１】
2013106335.tif 000003
【図２】
2013106335.tif 000004
【図３】
2013106335.tif 000005